(57)【要約】【課題】ステージに形成された大きさ（径）の異なる嵌合用孔に対しても容易に嵌め合わせてステージにディスプレー用ダミーを取り付けることができるとともに、ステージに設けた衝立にフック部を設けたり、このフック部に係止させる係止片部をディスプレー用ダミーに形成することなく、ディスプレー用ダミーをステージ、或いはステージ及び衝立に容易にかつ確実に取り付けることができることを課題とする。【解決手段】自動販売機のディスプレー部分に設置されたステージ１１の嵌合用孔１３にディスプレー用ダミー４の下端部に形成された嵌合部１２を取り付ける構成であって、前記ダミー４は、弾性を有する素材で半割状に一体形成され、かつ左右方向に連続する山形部の連なるジャバラ状に形成された嵌合部１２を下部に有している。【選択図】  図２
2005100258.tif 000002
【特許請求の範囲】
【請求項１】
自動販売機のディスプレー部分に設置されたステージの嵌合用孔にディスプレー用ダミーの下端部に形成された嵌合部が取り付けられて使用される自動販売機におけるディスプレー用ダミーの取り付け構造であって、
前記ダミーは弾性を有する素材で半割状に一体形成され下部に左右方向に山形部の連なるジャバラ状に形成された嵌合部を有し、前記嵌合部をステージの嵌合用孔に弾性変形させ収縮させて挿入し弾性復帰させて嵌合できるようにした構成を特徴とするディスプレー用ダミーの取り付け構造。
【請求項２】
前記ダミーの下面である嵌合部の前方に、所定間隔を以って複数の凸部が形成されていることを特徴とする請求項１記載のディスプレー用ダミーの取り付け構造。
【請求項３】
自動販売機のディスプレー部分に設置されたステージの嵌合用孔にディスプレー用ダミーの下端部に形成された嵌合部が取り付けられて使用される自動販売機におけるディスプレー用ダミーの取り付け構造であって、
前記ダミーは、弾性を有する素材で下部に嵌合部を設けた状態で半割状に一体形成され、かつ、ステージの嵌合用孔に嵌合部を弾性変形させて嵌め込む時に嵌合部を前記ダミーの内側に山形に２つ折りできるように前記嵌合部の中央に切り欠き部が形成され、前記弾性変形させた嵌合部を弾性復帰させてステージの嵌合用孔に嵌合できるようにした構成を特徴とするディスプレー用ダミーの取り付け構造。
【請求項４】
前記ダミーの下面である嵌合部の中央の前方に凸部が形成されていることを特徴とする請求項１又は３記載のディスプレー用ダミーの取り付け構造。
【請求項５】
前記弾性変形させた嵌合部を弾性復帰させてステージの嵌合用孔に嵌合させた時に前記ダミーの嵌合用孔の周縁部に係止する係止突片部が嵌合部の周縁に形成されていることを特徴とする請求項１、２、３又は４記載のディスプレー用ダミーの取り付け構造。
【発明の詳細な説明】
【技術分野】
【０００１】
この発明は、コーヒー、ジュース、ビールやお茶などの容器入りの飲料、あるいは、煙草、乾電池等を無人販売するための自動販売機のディスプレー部分に取り付けられるディスプレー用ダミー（展示用商品の模造品）の取り付け構造に関するものである。
【背景技術】
【０００２】
例えば、ペットボトル等の容器に入った各種飲料やその他の商品の自動販売機においては、その前面のディスプレー部分にステージを設け、このステージにディスプレー用ダミーを設置するのであるが、従前では下記の特許文献１等に示されるように販売される商品と同形状で下部に嵌合部を形成したディスプレー用ダミーを形成し、この嵌合部をステージに穿設した嵌合用孔に嵌合させるようにしていた。
【０００３】
ところがこうしたものでは、コストが高くなることから、近年ハーフと言われる半割のディスプレー用ダミーが用いられている。このディスプレー用ダミーが半割のものの場合、ドアの開け閉め時の振動や風圧でステージに設置されたダミーが傾いたりずれたりするおそれがあり、これを防ぐために、例えば下記の特許文献２等にも示されているように、半割のディスプレー用ダミーを保持したアダプタをステージに取り付けるようにしたものが知られている。
【０００４】
しかし、アダプタを介して半割のディスプレー用ダミーをステージに設置するようにしたものでは、ディスプレー用ダミーの製作のほかに、アダプタも製作しなくてはならず、手間がかかるだけでなく、このアダプタはディスプレー用ダミーの種類に合わせて製作されるために、種類も多くなり、製作コストも更に高くなってしまうという問題があった。
【０００５】
そこで、別の従来例のディスプレー用ダミーの取り付け構造も開発されている。このディスプレー用ダミーの取り付け構造では（図１７、図１８参照）、半割のディスプレー用ダミー１０１は、中間の両側縁に略長方形状の係止片部１０２を形成し、この係止片部１０２の中央に開口部１０３を形成するとともに、下端から開口部１０３にかけて切り欠き溝１０４を形成してある。また、このディスプレー用ダミー１０１の底部には、ステージ１０５に穿設した嵌合用孔１０６に嵌合させる嵌合部１０７が形成されている。一方、このディスプレー用ダミー１０１をステージ１０５に安定して取り付けられるように、ステージ１０５の中間付近に衝立１０８が垂直に設けられ、かつ、この衝立１０８に各ディスプレー用ダミー１０１を係止できるように、対応する各ディスプレー用ダミー１０１に対応するフック部１０９がそれぞれ複数箇所に形成されている。
【０００６】
そしてディスプレー用ダミー１０１をステージ１０５及び衝立１０８に取り付ける場合は、衝立１０８の各フック部１０９に対してディスプレー用ダミー１０１の係止片部１０２の切り欠き溝１０４の端から開口部１０３まで移動させて、ディスプレー用ダミー１０１を衝立１０８の各フック部１０９に係止するとともに、嵌合部１０７をステージ１０５の嵌合用孔１０６に嵌め込んで取り付けていた。
【０００７】
しかしながら、このディスプレー用ダミーの取り付け構造では、ディスプレー用ダミー１０１の係止片部１０２を衝立１０８のフック部１０９に一つずつ取り付けていかねばならず、取り付けに時間と手間がかかり、取り付け作業が煩わしかった。また、ディスプレー用ダミー１０１の嵌合部１０７の大きさ（径）は、ステージ１０５の嵌合用孔１０６より僅かに小さく形成したものであり、一定の大きさ(径)のステージ１０５の嵌合用孔１０６に対しては嵌め合わせることができる。しかしながら、ステージ１０５に形成された嵌合用孔１０６は一定の大きさ(径)とは限らず大きさにも大小がある。そのため、嵌合用孔１０６が嵌合部１０７より小さい場合は、ステージ１０５にディスプレー用ダミー１０１を取り付けることができなかったり、取り付けに窮して手間取ってしまったりする、といった問題があった。
【０００８】
なお、前記した特許文献は次の通りである。
【特許文献１】特開平１０−７９０７８号公報
【特許文献２】特開２０００−２２２６３６号公報
【発明の開示】
【発明が解決しようとする課題】
【０００９】
本発明は、前記のような問題点に鑑みて開発されたものであり、ステージに形成された大きさ（径）の異なる嵌合用孔に対しても容易に嵌め合わせてディスプレー用ダミーをステージに取り付けることができるとともに、ステージに設ける衝立にフック部を設けたり、このフック部に係止させる係止片部をディスプレー用ダミーに形成することなく、ディスプレー用ダミーをステージ、或いはステージ及び衝立に容易にかつ確実、迅速に取り付けることができるディスプレー用ダミーの取り付け構造を提供することを目的とする。
【課題を解決するための手段】
【００１０】
本発明の請求項１に記載のディスプレー用ダミーの取り付け構造は、自動販売機のディスプレー部分に設置されたステージの嵌合用孔にディスプレー用ダミーの下端部に形成された嵌合部が取り付けられて使用される自動販売機におけるディスプレー用ダミーの取り付け構造であって、前記ダミーは弾性を有する素材で半割状に一体形成され下部に左右方向に山形部の連なるジャバラ状に形成された嵌合部を有し、前記嵌合部をステージの嵌合用孔に弾性変形させ収縮させて挿入し弾性復帰させて嵌合できるようにした構成である。
【００１１】
本発明の請求項２に記載のディスプレー用ダミーの取り付け構造は、請求項１のディスプレー用ダミーの取り付け構造において、前記ダミーの下面である嵌合部の前方に、所定間隔を以って複数の凸部が形成されている。
【００１２】
本発明の請求項３に記載のディスプレー用ダミーの取り付け構造は、自動販売機のディスプレー部分に設置されたステージの嵌合用孔にディスプレー用ダミーの下端部に形成された嵌合部が取り付けられて使用される自動販売機におけるディスプレー用ダミーの取り付け構造であって、前記ダミーは、弾性を有する素材で下部に嵌合部を設けた状態で半割状に一体形成され、かつ、ステージの嵌合用孔に嵌合部を弾性変形させて嵌め込む時に嵌合部を前記ダミーの内側に山形に２つ折りできるように前記嵌合部の中央に切り欠き部が形成され、前記弾性変形させた嵌合部を弾性復帰させてステージの嵌合用孔に嵌合できるようにした構成である。
【００１３】
本発明の請求項４に記載のディスプレー用ダミーの取り付け構造は、請求項１又は３記載のディスプレー用ダミーの取り付け構造において、前記ダミーの下面である嵌合部の中央の前方に凸部が形成されている。
【００１４】
本発明の請求項５に記載のディスプレー用ダミーの取り付け構造は、請求項１、２、３又は４記載のディスプレー用ダミーの取り付け構造において、前記弾性変形させた嵌合部を弾性復帰させてステージの嵌合用孔に嵌合させた時に前記ダミーの嵌合用孔の周縁部に係止する係止突片部が嵌合部の周縁に形成されている。
【発明の効果】
【００１５】
請求項１に記載の本発明のディスプレー用ダミーの取り付け構造では、径の異なるステージの嵌合用孔に対しても、ダミーの嵌合部寄りの箇所を手で掴んで弾性変形させることによって、ジャバラ状の嵌合部を左右方向から一旦収縮させ、この状態で前記嵌合用孔に挿入して弾性復帰させることにより、前記嵌合用孔に容易にかつ手早く嵌め込んでダミーをステージに取り付けることができ、作業性を向上させることができる。
【００１６】
請求項２に記載の本発明のディスプレー用ダミーの取り付け構造では、前記嵌合部の前方のダミーの下面に、所定間隔を以って複数の凸部が形成されているので、前記のようにしてダミーの嵌合部をステージの嵌合用孔に嵌め込んで、前記ダミーをステージに取り付けた時に、ステージの上面に前記凸部が当接し、ダミー全体を後側に強制的に傾けさせるように作用するとともに、ダミーの左右方向への傾きも阻止する。したがって、ステージの嵌合用孔を形成した部分に対して垂直に設けた衝立に対しては、常にダミーの裏側の縁部を当接させることができる。それ故に衝立とダミーとの間に隙間が生じることもなく、ディスプレーとして外から見苦しくなるといったこともない。
【００１７】
請求項３に記載の前記した本発明のディスプレー用ダミーの取り付け構造では、径の異なるステージの嵌合用孔に対しても、ダミーの嵌合部寄りの箇所を手で掴んで弾性変形させることによって、嵌合部を切り欠き部からダミーの内側に山形に２つ折りにして容易にかつ手早く前記嵌合用孔にはめ込んでダミーをステージに取り付けることができ作業性を向上させることができる。
【００１８】
請求項４に記載の本発明のディスプレー用ダミーの取り付け構造では、ダミーの下面である嵌合部の中央の前方に凸部が形成してあるので、この場合も前記のようにダミーの嵌合部をステージの嵌合用孔に嵌め込んで、前記ダミーをステージに取り付けたときに、ダミーの他の下面部分より高くなっている前記凸部がステージの上面に当接して、ダミー全体を後側に強制的に傾けさせる。したがって、ステージの嵌合用孔を形成した部分に対して垂直に設けられた衝立に対して、常にダミーの裏側の縁部が当接する。それ故に衝立とダミーとの間に隙間が生じることもなくディスプレーとして外から隙間が見えたりして見苦しくなるといったこともない。
【００１９】
請求項５に記載の本発明のディスプレー用ダミーの取り付け構造では、ステージの嵌合用孔に嵌合部を前記のようにして嵌め込んで弾性復帰させることにより、嵌合部の周縁に形成した係止突片部が嵌合用孔の周縁部のステージ部分に裏側から係止する。そのためステージの嵌合用孔に嵌合したダミーが嵌合用孔から簡単に外れたりすることもない。
【発明を実施するための最良の形態】
【００２０】
以下、本発明を実施するための最良の形態の自動販売機におけるディスプレー用ダミーの取り付け構造について図１〜図１６に基づいて説明する。
先ず図１は自動販売機の斜視図であって、図中符号１は自動販売機を全体的に示す。図中符号２は商品補充のために開閉自在に設けられた前面扉であり、その上部には、商品と略同寸法に形成された缶タイプのディスプレー用ダミー３（以下、ダミー３という。）や、ポリエチレンテレフタレート（Ｐ．Ｅ．Ｔ）製ボトル（以下単にペットボトルという）タイプのディスプレー用ダミー４、４ａ（以下、ダミー４、４ａという。）を展示するためのディスプレー室５が上下二段に設けられており、また、前面扉２には前記ダミー３、４、４ａに関連する商品選択用の押しボタン６・６・・・が配設されている。また、前面扉２の下部側には商品取り出し口７が設けられており、他にも図中符号８で示す金銭投入口や、釣銭口９、及び金銭返却用の操作レバー１０が設けられている。
【００２１】
ディスプレー室５の内部には、ダミー３、４、４ａの取り付け面となるステージ１１が設けられている。このステージ１１(図１６参照)は金属製帯板を高さの低い横長の略直方体形状に形成したもので、上面部分には嵌合用孔１３（図１６参照）が所定間隔を以って複数穿設されていて、後述するダミー３、４、４ａの下部に形成された嵌合部１２、１２ａ(図２、図８参照)を嵌め込むことができるようにしてある。さらに、ステージ１１には、前記上面部分に対して垂直に金属製帯板の衝立１４が各嵌合用孔１３の半分位の位置を横切るように設けてある。この衝立１４は、重量を軽減するために各嵌合用孔１３に対応する位置に各切り欠き開口部１５を形成してある。
【００２２】
前記各嵌合用孔１３は、図１に示すようにステージ１１の内方に設置された蛍光灯(図示省略)の光をダミー３、４、４ａの内方から照射させて商品を浮かび上がらせるための光透過孔を兼ねるもので、ダミー３、４、４ａの径よりも小径に形成された半円形部をステージ１１の前側に含む切り欠き形状に形成されている。
【００２３】
一方、前記ステージ１１に設置される各ダミー３、４、４ａは、図２、図８等に示すように形成される。すなわち、ダミー３、４、４ａは、耐熱、耐候性に優れたポリカーボネイト製の透明シートの一面に光透過性インクにより商品と同様の印刷を施し、この印刷面が内方になるように真空成型して半割状の製品にしたもので、この真空成型と同時に嵌合部１２、１２ａも一体に形成される。ここで、本発明に言う半割状とは、円筒状の商品の真半部だけでなく、両端部を長くしたものを含む。
【００２４】
前記のようにして形成される図示のダミー４と、ダミー３、４ａとは、後述するように嵌合部１２、１２ａの構成が異なる。なお、ダミー４の嵌合部１２の構成は、図示省略するが缶タイプのダミー３の嵌合部の構成とするものも本発明に係るダミーである。
【００２５】
そこで図２〜図７に示す例のダミー４における嵌合部１２は、頂点部２１ａを下側に左右方向（図２の矢印方向）に山形部２１の連なる凹凸のあるジャバラ状に形成され、ステージ１１の嵌合用孔１３にダミー４の胴部４ｃ(図７参照)を指で挟んで弾性変形させ収縮させて挿入し弾性復帰させた時に、前記嵌合用孔１３に嵌合してある程度抜けないように形成してある。
【００２６】
さらに、この嵌合部１２の前方位置のダミー４の下面４ｂには、嵌合部１２に対峙しかつ互いに所定間隔を以って複数、図示の場合は２箇所に平面視略楕円形状で嵌合部１２側に緩く傾斜した凸部１８が形成されている。さらに嵌合部１２には、弾性変形させた嵌合部１２を弾性復帰させてステージ１１の嵌合用孔１３に嵌合させた時に、ステージ１１の嵌合用孔１３の周縁部１６(図７参照)に係止するバリのような係止突片部１７(図２〜図６参照)が、嵌合部１２の周縁である左右両側端から両側方に突出するように形成されている。
【００２７】
前記のように構成されたダミー４をステージ１１に取り付ける場合は、図７に示すようにダミー４の胴部４ｃの下部の両端近傍を指で挟み持つことによって、ジャバラ形状の嵌合部１２は弾性変形しダミー４の内側上方に向かって径を縮小する。
【００２８】
このようにした後にダミー４の裏側１９を衝立１４側にしてステージ１１の所望の嵌合用孔１３に嵌合部１２を挿入し、挿入後に前記のように挟み持ちした指の力を緩めて胴部４ｃとともに嵌合部１２を弾性復帰させる。このことによって嵌合部１２は元の状態に戻って嵌合用孔１３に嵌合する。同時に、嵌合部１２の左右両側端から両側方に突出している両係止突片部１７は、ステージ１１の裏面側の嵌合用孔１３の周縁部１６に係止する。したがってダミー４は、ステージ１１に確実に取り付けられることになる。
【００２９】
また、ダミー４をステージ１１に取り付けた時に、各凸部１８がステージ１１の前側の上面１１ａに当接し、ダミー４を衝立１４側に倒すように作用する。このことによりダミー４の裏側１９の外周縁２０(図３参照)は衝立１４に当接し、ダミー４が手前に倒れてくることもなく、また衝立１４とダミー４の外周縁２０との間に隙間が生じることもない。したがって、衝立１４の切り欠き開口部１５がディスプレー室５の外から見えることもなく(図１６参照)、ディスプレーとしての美観を損ねることがない。
【００３０】
次に図８〜図１５に示す例の各ダミー３、４ａにおける嵌合部１２ａは、ダミー３、４ａの下面４ｂから下に少し突出形成され、かつ中央に線状の切り欠き部１５が形成されている。このことにより前記ダミー３、４ａの嵌合部１２ａ又は嵌合部１２ａ寄りの胴部４ｃを弾性変形させてステージ１１の嵌合用孔１３に嵌め込む時に、嵌合部１２ａはダミー３、４ａの内側上方向に山形に２つ折りされることになる。この嵌合部１２ａは、前記弾性変形させた状態から弾性復帰させることによってステージ１１の嵌合用孔１３に嵌合する。
【００３１】
さらに、前記のように弾性変形させた嵌合部１２ａを弾性復帰させてステージ１１の嵌合用孔１３に嵌合させた時に、ステージ１１の嵌合用孔１３の周縁部１６(図１５参照)に係止するバリのような係止突片部１７が、嵌合部１２ａの周縁である左右両側端から両側方に突出するように形成されている。さらに、前記ダミー３、４ａの下面４ｂである嵌合部１２ａの中央の前側には、半球状の凸部１８が一箇所に形成されている。
【００３２】
前記のように構成されたダミー３、４ａをステージ１１に取り付ける場合は、図１４に示すようにダミー４ａ（ダミー３は図示省略する。）の胴部４ｃの下部の両端近傍を指で挟み持って弾性変形させることによって、嵌合部１２ａも弾性変形するとともに中央の切り欠き部１５から二つ割れ状態になって内側に山形に２つ折れする。このことにより嵌合部１２ａは変形した径を縮小した状態となる。このようにした後にダミー３、４ａの裏側１９を衝立１４側にしてステージ１１の所望の嵌合用孔１３に嵌合部１２ａを挿入し、挿入した後に胴部４ｃを挟み持ちした指の力を緩め、前記弾性変形させた状態から弾性復帰させる。
【００３３】
このことによってダミー４ａの内側上方向に山形に２つ折れに成っていた嵌合部１２ａは、元の状態に戻って嵌合用孔１３に嵌合する。この時、嵌合部１２ａの左右両側端から両側方に突出している両係止突片部１７は、ステージ１１の裏側の嵌合用孔１３の周縁部１６に係止する(図１５参照)。故にダミー４ａはステージ１１に確実に取り付けられる。
【００３４】
さらに、ダミー４ａをステージ１１に取り付けた時に、嵌合部１２ａの凸部１８がステージ１１の前側の上面に当接し、ダミー４ａを衝立１４側に倒すように作用する。このことによりダミー４ａの裏面側１９の外周縁２０が衝立１４に当接し、手前に倒れてきることもなく、また衝立１４とダミー４の外周縁２０との間に隙間が生じることもなく、ディスプレー室５の外から衝立１４の切り欠き開口部１５が見えることもない。
【００３５】
尚、前記実施の形態ではダミー３、４、４ａは、ポリカーボネイト製の透明シートを真空成型により半割状の製品にしてあるが、耐熱、耐候性に優れた素材であればその他のものを使用できるのは勿論であり、成型方法は真空成型に限られないことはいうまでもないことである。また、前記ダミー４は、他の構成を前記と同様にして嵌合部１２の前方の下面中央に凸部１８を１つ形成した構成でもよい。
【図面の簡単な説明】
【００３６】
【図１】本発明にかかる自動販売機の斜視図である。
【図２】本発明にかかるディスプレー用ダミーの正面図である。
【図３】本発明かかるディスプレー用ダミーの裏側からの斜視図である。
【図４】本発明にかかるディスプレー用ダミーの下部を示す正面図である。
【図５】本発明かかるディスプレー用ダミーの底面図である。
【図６】本発明にかかるディスプレー用ダミーの下部を示す側面図である。
【図７】本発明かかるディスプレー用ダミーの胴部を掴んだ状態の説明図である。
【図８】本発明にかかる他の例のディスプレー用ダミーの正面図である。
【図９】本発明かかる他の例のディスプレー用ダミーの底面図である。
【図１０】本発明かかる他の例のディスプレー用ダミーの裏面側からの斜視図である。
【図１１】本発明にかかる別の例のディスプレー用ダミーの正面図である。
【図１２】本発明かかる別の例のディスプレー用ダミーの裏面側からの斜視図である。
【図１３】本発明にかかる図８のディスプレー用ダミーの側面図である。のである。
【図１４】本発明かかる図８のディスプレー用ダミーの胴部を掴んだ状態の説明図である。
【図１５】本発明かかる図８または図１１のディスプレー用ダミーの係合部をステージの係合用孔に係合させた状態をステージの裏側からみた説明図である。
【図１６】本発明かかる各ディスプレー用ダミーをステージに取り付けた状態の斜視図である。
【図１７】従来のディスプレー用ダミーの裏側からの斜視図である。
【図１８】従来のステージの斜視図である。
【符号の説明】
【００３７】
３、４、４ａ    ディスプレー用ダミー
１１      ステージ
１２      嵌合部
１２ａ    嵌合部
１３      嵌合用孔
１５      切り欠き部
１６      周縁部
１７      係止突片部
１８      凸部
２１      山形部
【図１】
2005100258.tif 000003
【図２】
2005100258.tif 000004
【図３】
2005100258.tif 000005
【図４】
2005100258.tif 000006
【図５】
2005100258.tif 000007
【図６】
2005100258.tif 000008
【図７】
2005100258.tif 000009
【図８】
2005100258.tif 000010
【図９】
2005100258.tif 000011
【図１０】
2005100258.tif 000012
【図１１】
2005100258.tif 000013
【図１２】
2005100258.tif 000014
【図１３】
2005100258.tif 000015
【図１４】
2005100258.tif 000016
【図１５】
2005100258.tif 000017
【図１６】
2005100258.tif 000018
【図１７】
2005100258.tif 000019
【図１８】
2005100258.tif 000020